(57)【要約】【課題】様々な形式で記憶された画像データを表示する。【解決手段】複合機２０はカラー複写を行うときに、スキャナ部３０で原稿から画像を読取りＲＧＢデータを生成し、そのＲＧＢデータにスキャナ系画像処理部で画像処理が施され圧縮画像データに変換されてＨＤＤ２８に記憶する。また、ネットワークを介してＰＣから受信した画像データをＹＭＣＫデータにコントローラで変換された後ＨＤＤ２８に記憶される。このＨＤＤ２８に記憶された圧縮画像データ、又はＹＭＣＫデータをデータ変換部２９でＲＧＢデータに変換し、コントロールパネル２５の表示装置又はネットワーク３８を介してＰＣ３９のモニタに表示する。【選択図】    図１
2004264540.tif 000002
【特許請求の範囲】
【請求項１】
画像データを記憶する記憶手段と、所定の形式の画像データを表示する表示手段と、前記記憶手段で記憶された画像データの形式を前記表示手段で表示する所定の形式の画像データに変換する処理を行うデータ変換手段とを具備したことを特徴とする画像形成装置。
【請求項２】
記憶手段に記憶される画像データのデータは、ＹＭＣＫデータ、圧縮画像データ、ＹＣｂＣｒデータ、Ｋデータ、および前記画像データを可変長圧縮したもののうちの少なくともいずれか１つのデータであることを特徴とする請求項１記載の画像形成装置。
【請求項３】
データ変換手段は、記憶手段に記憶された画像データの形式のすべてを表示を行うための所定の画像データの形式に変換できることを特徴とする請求項１記載の画像形成装置。
【請求項４】
原稿から画像を読取り画像データを生成する画像読取手段及び前記画像読取手段で生成された画像データに所定の画像処理を施す画像処理手段、又は、所定の形式の画像データを供給する画像データ供給源とネットワークを介して接続する接続手段を有し、前記画像処理手段で処理が施された画像データ、又は、前記接続手段を介して受信した画像データのいずれかに基づいて画像の形成を行う画像形成装置の画像表示方法において、
前記画像処理手段で処理が施された画像データ、又は、前記接続手段を介して受信した画像データを記憶し、その記憶された画像データの形式を、表示を行うための処理を施し所定の画像データの形式に変換し、その変換された画像データを表示することを特徴とする画像形成装置の画像表示方法。
【発明の詳細な説明】
【０００１】
【発明の属する技術分野】
本発明は、画像データの処理を行う画像処理手段を有する画像形成装置及びその処理された画像データを表示できる画像形成装置の画像表示方法に関する。
【０００２】
【従来の技術】
一般に、カラー複写機能、スキャナ機能、プリンタ機能、データ管理機能を有する複合複写機、例えば、複合機が知られている。このような複合機１は、図３に示すような構成をしている。
【０００３】
この複合機１は、ＣＰＵ２で総括的に制御されている。複合機１はカラー複写機として使用される場合には、スキャナ部３で原稿の画像が読取られＲＧＢデータが生成される。この生成されたＲＧＢデータはスキャナ系画像処理部４でＲＧＢデータからＹＭＣデータに色変換処理され後、ＹＭＣデータはメモリ容量を削減するために輝度に対する色差のデータ形式にデータ圧縮される。この圧縮された圧縮画像データはページメモリ５に一時記憶され、さらに記憶部６に記憶される。そして、記憶部６に記憶された圧縮画像データはページメモリ５に呼び出され、プリンタ系画像処理部７でＹＭＣデータに伸長された後、墨入れ処理が行われＫデータが追加される。このＹＭＣＫデータに基づいてプリンタ部８で印刷が行われる。このスキャナ部３で原稿から読取ったＲＧＢデータに基づいて、印刷する前、又は、印刷しながらコントロールパネル９に表示する技術が知られている（例えば、特許文献１参照）。
【０００４】
また、複合機１はカラーネットワークスキャンとして使用される場合には、スキャナ部３で生成されたＲＧＢデータは、スキャナ系画像処理部４でＪＰＥＧフォーマットへの変換のための前処理を施され、輝度Ｙとそれに対する色差Ｃｂ／ＣｒのＹＣｂＣｒデータでページメモリ５を経由して記憶部６に記憶され、コントローラ１０を経由してネットワーク１１に接続されたＰＣ１２へ出力される。さらに、複合機１はカラープリンタとして使用される場合には、ＰＣ１２からプリントデータがネットワーク１１、コントローラ１０を経由してＹＭＣＫデータとして記憶部６に記憶され、ページメモリ５へそのプリントデータが呼び出され、プリンタ系画像処理部７で画像処理が施され、その処理が施されたデータに基づきプリンタ部８で印刷が行われる。
【０００５】
このように、複合機１は各機能の動作モードにおいて様々な画像データの形式で記憶部６に記憶される。また、それぞれの動作モードにおいて、ストレイジ機能を使用した取込画像データの記憶部６への一時記憶及びデータ管理機能を使用した過去の画像データの印刷が可能となっている。
【０００６】
【特許文献１】
特開平０２−２８８４６５号公報
【０００７】
【発明が解決しようとする課題】
しかしながら、上述の複合機１では、スキャナ部で生成されたＲＧＢデータを利用してコントロールパネルに画像の表示を行うこと、また、ストレイジ機能により記憶部にカラー複写時の圧縮画像データ、ネットワークスキャン時のＹＣｂＣｒデータ、プリンタ時のＹＭＣＫデータ、および記憶容量削減のためそれらを可変長圧縮したデータなどの様々な形式のデータを記憶することは可能であるが、その様々な形式で記憶された画像データをコントロールパネルに表示することはできない。すなわち、記憶部に記憶された様々な形式で取り込んだ画像データをコントロールパネルに表示するためにデータの形式を変換する処理を行えない。このため、ユーザは記憶部に記憶された画像データの形式によっては、その画像データを実際に印刷してみなければその内容を確認することができないという問題がある。
【０００８】
本発明は上記問題に鑑みてなされたものであって、その目的は、表示を行うためのデータの形式でないデータ形式で記憶された画像データを表示を行うための所定のデータ形式に変換でき、様々な形式で記憶された画像データを表示することができる画像形成装置及びその画像形成装置の画像表示方法を提供することにある。
【０００９】
【課題を解決するための手段】
本発明は、原稿から画像を読取り生成された画像データに所定の画像処理を施し、又は、所定の形式の画像データを供給する、例えば、ＰＣなどのコンピュータ装置とネットワークを介して接続する接続手段を有し、処理が施された画像データ、又は、受信した画像データのいずれかに基づいて画像の形成を行う画像形成装置において、処理が施された画像データ、又は、受信した画像データを記憶し、その記憶された画像データに所定の表示を行うための変換処理を施し画像データの形式の変換を行い、その変換された画像データを表示するものである。
【００１０】
【発明の実施の形態】
以下、本発明の一実施の形態について図面を参照して説明する。なお、本発明を複合機２０に適用した場合で説明する。
【００１１】
図１は複合機２０の概略的な構成を示す図である。複合機２０には、ＣＰＵ２１、ＲＯＭ２２、ＲＡＭ２３、時計部２４、コントロールパネル２５、コントローラ２６、ページメモリ２７、記憶手段としてのハードディスクドライブ（ＨＤＤ）２８、データ変換手段としてのデータ変換部２９、画像読取手段としてのスキャナ部３０、画像処理手段としてのスキャナ系画像処理部３１、プリンタ系画像処理部３２、プリンタ部３３が設けられている。ＣＰＵ２１は、ＲＯＭ２２、ＲＡＭ２３とバスライン３４を介して、時計部２４とバスライン３５を介して、コントロールパネル２５、コントローラ２６、ページメモリ２７、ＨＤＤ２８、データ変換部２９とバスライン３６を介して、スキャナ部３０、スキャナ系画像処理部３１、プリンタ系画像処理部３２、プリンタ部３３とバスライン３７を介してそれぞれ接続されている。
【００１２】
ＣＰＵ２１は、ＲＯＭ２２に格納された制御プログラムに基づいて各部を総括制御するための制御処理を行うことで複合機２０としての動作を実現する。ＲＯＭ２２は、ＣＰＵ２１が実行する制御プログラム等を記憶する。ＲＡＭ２３は、ＣＰＵ２１が各種の処理を行うために必要となる各種の情報を記憶するためのワークエリアなどとして使用される。また、複合機２０は、カラー原稿のカラー複写を行うカラー複写機能、外部から受信したデータを印刷するカラープリンタ機能、原稿から読取った画像データを外部へ出力するネットワークスキャン機能、取込画像を記憶部に記憶するストレイジ機能、ＨＤＤ２８に記憶された画像データのファイルを管理するデータ管理機能などの機能をＲＯＭ２２に記憶された制御プログラムを実行することにより実現する。
【００１３】
また、時計部２４は、計時動作を常時行い、現在時刻を示す現在時刻情報を出力する。コントロールパネル２５は、キー入力部及び液晶パネルなどの表示装置が表示手段として設けられている。キー入力部は、ユーザによるＣＰＵ２１に対する各種の指示入力を受付ける。例えば、カラー複写を開始するスタートキーが設けられている。液晶パネルは、入力される所定の形式、例えば、ＲＧＢデータの形式の画像データをＣＰＵ２１の制御の下に表示する。
【００１４】
コントローラ２６は、ＨＤＤ２８からデータが入力され、また、ネットワーク３８を介して接続された画像データ供給源としてのコンピュータ装置、例えば、モニタを有するＰＣ３９からのデータを受信すると、ＨＤＤ２８へ出力する。また、データ変換部２９からコントローラ２６に入力されたデータをネットワーク３８を介してＰＣ３９へ出力する。ＰＣ３９からネットワーク３８を介してコントローラ２６が受信する画像データの形式は様々な形式が考えられるが、コントローラ２６はその画像データをＹＭＣＫデータに変換する。
【００１５】
ページメモリ２７は、スキャナ系画像処理部３１から入力されるデータを記憶し、ＨＤＤ２８へ出力する。また、ページメモリ２７は、ＨＤＤ２８から呼び出されたデータを記憶し、プリンタ系画像処理部３２へ出力する。
【００１６】
ＨＤＤ２８は、ページメモリ２７から出力された画像データを記憶する。また、コントローラ２６から出力されたデータを記憶する。
【００１７】
スキャナ部３０は、図示しない原稿台に載置される原稿の画像読取りを行い、その画像データを生成する。すなわち、スキャナ部３０では、照明装置から照射される光の原稿に対する反射光を、例えば、レッド、グリーン、ブルー各色のＲＧＢセンサでそれぞれ受光し、その受光した光を増幅回路により増幅し、Ａ／Ｄ変換回路によりアナログ信号をデジタル信号に変換し、シェーディング補正回路、非線形補正回路等により各種補正処理を施してＲＧＢデータを生成する。
【００１８】
スキャナ系画像処理部３１は、ＣＰＵ２１の制御に基づきＲＧＢデータに色変換処理、フィルタ処理、解像度変換処理、圧縮処理などの画像処理を施す。また、ネットワークスキャン時にはＣＰＵ２１の制御に基づき、ＲＧＢデータに画像処理を施さず、あるいは、ＲＧＢデータをＪＰＥＧ（ジョイント・フォトグラフィック・エクスパーツ・グループ）前処理されたＹＣｂＣｒデータに変換するいずれかの処理を行う。
【００１９】
プリンタ系画像処理部３２は、ＣＰＵ２１の制御に基づき、ＨＤＤ２８からページメモリ２７を経由して入力されたデータに伸長処理、墨入れ処理、階調処理などの画像処理を施す。
【００２０】
プリンタ部３３は、ＹＭＣＫデータに基づいて、図示しない、露光装置、感光体ドラム、現像装置、転写装置、クリーニング装置、定着装置、給紙装置などの装置を制御して印刷を実行する。
【００２１】
データ変換部２９は、複合機２０がカラー複写機、カラープリンタ、ネットワークスキャンとして使用され、画像データが記憶されたそれぞれの場合において、データ変換処理が異なるのでそれぞれの場合について説明する。
【００２２】
複合機２０がカラー複写機として使用されたときは、スキャナ部３０で読取られたＲＧＢデータが、スキャナ系画像処理部３１で、色変換処理、フィルタ処理などが施され最終的にＹＭＣデータへ変換され、さらに、圧縮処理が施された圧縮画像データに変換される。この圧縮画像データがページメモリ２７を経由してＨＤＤ２８に記憶される。データ変換部２９は、ＨＤＤ２８から圧縮画像データを呼び出し、呼び出した圧縮画像データを伸長してＹＭＣデータにした後、さらに、ＲＧＢデータに変換する。
【００２３】
複合機２０がカラープリンタとして使用されたときは、ＰＣ３９から受信した画像データが、ネットワーク３８、コントローラ２６を介して、例えば、ＹＭＣＫデータでＨＤＤ２８に記憶される。データ変換部２９は、ＨＤＤ２８からＹＭＣＫデータを呼び出し、呼び出したＹＭＣＫデータをＲＧＢデータに変換する。
【００２４】
複合機２０がネットワークスキャンとして使用されたときは、スキャナ部３０から読取られたＲＧＢデータは、ＲＧＢデータそのままで、又は、ＪＰＥＧ前処理されたＹＣｂＣｒデータでＨＤＤ２８に記憶される。データ変換部２９は、ＨＤＤ２８からＹＣｂＣｒデータを呼び出し、呼び出したＹＣｂＣｒデータをＲＧＢデータに変換する。なお、ＲＧＢデータの場合はデータの変換を行う必要はない。
【００２５】
次に、このように構成された複合機２０が、カラー複写機として使用される場合の処理を図２で示すフローチャートを参照して説明する。
【００２６】
先ず、ステップＳＴ１０１において、ＣＰＵ２１はカラー複写開始を検出したか否かを判断する。例えば、ＣＰＵ２１は待機状態において、コントロールパネル２５のスタートキーの入力を検出したか否かを判断する。この判断でＮＯなら待機状態が継続され、ＹＥＳなら複写開始の動作を行うためにステップＳＴ１０２へ進む。
【００２７】
ステップＳＴ１０２において、ＣＰＵ２１はスキャナ系画像処理部３１及びプリンタ系画像処理部３２にカラー複写を行うときの画像処理を行うように設定すると共にデータ変換部２９に複写を行うときのデータ変換処理を設定する。この設定は、ステップＳＴ１０４、ＳＴ１０８、ＳＴ１１０でそれぞれ説明する。
【００２８】
ステップＳＴ１０３において、ＣＰＵ２１はスキャナ部３０を動作させて原稿から画像の読取りを行い、スキャナ部３０で生成されたＲＧＢデータをスキャナ系画像処理部３１へ出力する。
【００２９】
ステップＳＴ１０４において、スキャナ系画像処理部３１は入力されたＲＧＢデータに画像処理を施す。このとき、カラー複写を行うための画像処理がＣＰＵ２１の制御によりスキャナ系画像処理部３１に設定されている。すなわち、スキャナ系画像処理部３１は、入力されたＲＧＢデータに色変換処理、フィルタ処理を施した後ＹＭＣデータに変換し、さらに、圧縮処理を施し、圧縮画像データに処理するように設定されている。
【００３０】
ステップＳＴ１０５において、スキャナ系画像処理部３１から出力された圧縮画像データはページメモリ２７に記憶される。また、ステップＳＴ１０５において、ページメモリ２７に記憶された圧縮画像データがＨＤＤ２８に記憶される。このように記憶された圧縮画像データは、例えば、ＣＰＵ２１が時計部２４から取得した日付や時刻などの時刻情報に基づいて、その時刻情報をファイル名とする圧縮画像データ形式のファイルで記憶される。このファイルはデータ管理機能により管理される。
【００３１】
ステップＳＴ１０６において、ＣＰＵ２１は、ＨＤＤ２８に記憶された圧縮画像データを、ページメモリ２７に呼び出すと共にデータ変換部２９へ出力する処理を行う。
【００３２】
ステップＳＴ１０７において、ページメモリ２７に呼び出された圧縮画像データは、プリンタ系画像処理部３２へ出力される。ステップＳＴ１０８において、プリンタ系画像処理部３２は圧縮画像データに画像処理を施す。このとき、カラー複写を行うための画像処理がＣＰＵ２１の制御によりプリンタ系画像処理部３２に設定されている。すなわち、圧縮画像データを伸長したＹＭＣデータから墨入れ処理によりＫデータを追加してＹＭＣＫデータを生成し、生成されたＹＭＣＫデータに階調処理などを施す。この画像処理が施されたＹＭＣＫデータはプリンタ系画像処理部３２からプリンタ部３３へ出力される。ステップＳＴ１０９において、ＣＰＵ２１は、プリンタ部３３の各装置を動作させ入力されたＹＭＣＫデータに基づいて印刷を実行する。
【００３３】
ステップＳＴ１１０において、データ変換部２９は、入力された圧縮画像データを伸長してＹＭＣデータとし、このＹＭＣデータをＲＧＢデータに変換する処理を行う。この処理されたＲＧＢデータはデータ変換部２９からコントロールパネル２５へ出力される。ステップＳＴ１１１において、入力されたＲＧＢデータに基づいて、コントロールパネル２５の液晶パネルへ表示する。なお、このステップＳＴ１１０、ＳＴ１１１は、ユーザはコントロールパネル２５の設定により表示しないように設定することもできる。また、ステップＳＴ１１１の画像の表示をネットワーク３８に接続されたＰＣ３９のモニタに表示するように設定することもできる。これらの設定は、ユーザが複合機２０のコントロールパネル２５を操作して設定する。
【００３４】
このように構成された複合機２０は、スキャナ部３０で生成したＲＧＢデータを圧縮画像データに変換してＨＤＤ２８に記憶する。その圧縮画像データを変換処理したＹＭＣＫデータに基づいてプリンタ部３３で印刷を行うと共に圧縮画像データをＲＧＢデータに変換処理してコントロールパネル２５に表示することができる。従って、ＨＤＤ２８には圧縮画像データが記憶されるのでデータサイズを小さくでき、メモリ容量を削減できる。
【００３５】
また、複合機２０がカラー複写を行ったときにストレイジ機能によりＨＤＤ２８に記憶された圧縮画像データは、上述のようにデータ管理機能により所定のファイル名が付加され圧縮画像データ形式のファイルで管理されている。ユーザはコントロールパネル２５を操作して、ファイル名などに基づいて所望のファイルを選択すると、ＨＤＤ２８に記憶された圧縮画像データを印刷することなく、どのような画像が記憶されているかを確認できる。
【００３６】
また、コントロールパネル２５から与えられた指示に基づいて、ＨＤＤ２８に記憶された圧縮画像データをＲＧＢデータに変換処理してネットワーク３８に接続されたＰＣ３９などのコンピュータ装置へ出力して、そのコンピュータ装置のモニタに画像を表示することもできる。
【００３７】
上述の処理は、複合機２０がカラー複写を行うときの処理について説明したが、ＨＤＤ２８へのデータのストレイジ機能による記憶は、カラープリンタとして使用されたとき、ネットワークスキャンとして使用されたときにも行われる。
【００３８】
複合機２０がＰＣ３９から画像データを受信して印刷を行うときには、ＰＣ３９から画像データがコントローラ２６でＹＭＣＫデータに変換された後ＨＤＤ２８に記憶される。このＨＤＤ２８に記憶されたＹＭＣＫデータがページメモリ２７、プリンタ系画像処理部３２を経由してプリンタ部３３で印刷が行われる。つまり、カラープリンタとして使用されたときは、画像データがＹＭＣＫデータ形式でＨＤＤ２８に記憶される。このＨＤＤ２８に記憶されるＹＭＣＫデータはデータ管理機能によりファイル名が与えられて管理される。
【００３９】
また、スキャナ部３０から入力されるＲＧＢデータにＪＰＥＧ前処理を行った後、ネットワーク３８を介してＰＣ３９へ出力する場合には、スキャナ系画像処理部３１でＲＧＢデータからＹＣｂＣｒデータの形式に変換された後、ページメモリ２７を経由してＨＤＤ２８に記憶される。つまり、ネットワークスキャンとして使用されたときには、画像データがＹＣｂＣｒデータの形式でＨＤＤ２８に記憶される。このＨＤＤ２８に記憶されるＹＣｂＣｒデータはデータ管理機能によりファイル名が与えられて管理される。なお、ＲＧＢデータに画像処理を施さない設定の場合には、スキャナ系画像処理部３１で処理がされないのでＲＧＢデータ形式でＨＤＤ２８に記憶される。
【００４０】
このように、複合機２０がカラープリンタとして使用されるとき、ネットワークスキャンとして使用されるときにＨＤＤ２８に記憶されたＹＭＣＫデータ、あるいは、ＹＣｂＣｒデータは、データ変換部２９によりそれぞれＲＧＢデータに変換処理されるので、ユーザは、ＨＤＤ２８に記憶されたファイルを指定してコントロールパネル２５の液晶パネルに表示することができる。従って、カラー複写機として使用されたときと同様に、ユーザはＨＤＤ２８に記憶された画像データを印刷することなく、どのような画像が記憶されているかを確認できる。
【００４１】
また、ＰＣ３９からネットワーク３８を介して与えられた指示、あるいは、コントロールパネル２５から与えられた指示に基づいて、ＨＤＤ２８に記憶されたＹＭＣＫデータ、ＹＣｂＣｒデータをＲＧＢデータに変換処理してネットワーク３８に接続されたＰＣ３９などのコンピュータ装置へ出力して、そのモニタに表示することもできる。
【００４２】
従って、ユーザはＨＤＤ２８に記憶された様々な形式の画像データを、データ変換部２９にて複合機２０において使用される全ての画像データ形式をＲＧＢデータに変換することができ、そのデータ変換部２９を経由することにより複合機２０のコントロールパネル２５の表示装置やネットワーク３８で接続されたＰＣ３９などのコンピュータ装置のモニタ上で記憶された様々な形成の画像データを確認できる。
【００４３】
なお、この実施例においては、ＨＤＤ２８に記憶される様々なデータの形式は、圧縮画像データ、ＹＭＣＫデータ、ＹＣｂＣｒデータ、ＲＧＢデータとしたが、これに限るものではなく、ＲＧＢデータから上記以外のデータの形式に変換されてＨＤＤ２８に記憶されているデータの形式に対しても本発明を適用できる。
【００４４】
さらに、モノクロの複合複写機においても、例えばモノクロ信号でＨＤＤ２８に記憶されたものをデータ変換部２９でＲＧＢ等量の信号に変換したりすれば、本発明を利用することができる。
【００４５】
【発明の効果】
以上説明したように本発明によれば、表示を行うためのデータの形式でないデータ形式で記憶された画像データを表示を行うための所定のデータ形式に変換でき、様々な形式で記憶された画像データを表示することができる画像形成装置及び画像形成装置の画像表示方法を提供できる。
【図面の簡単な説明】
【図１】本発明の一実施の形態における複合機の概略的な構成を示す図。
【図２】同実施の形態における画像表示処理を示すフローチャート。
【図３】従来例における複合機の概略的な構成を示す図。
【符号の説明】
２１…ＣＰＵ、２５…コントロールパネル、２６…コントローラ、２８…ハードディスクドライブ、２９…データ変換部、３０…スキャナ部、３１…スキャナ系画像処理部、３２…プリンタ系画像処理部、３３…プリンタ部、３８…ネットワーク、３９…ＰＣ
【図１】
2004264540.tif 000003
【図２】
2004264540.tif 000004
【図３】
2004264540.tif 000005